(57)【要約】  【課題】画像情報を読取り中のトラブルによる原稿の機密保持対策を施した画像読取装置を提供する。  【解決手段】重要書類の原稿画像を読取った後の重要書類の機密を確実に保持するためにに、原稿読み込み、データベースファイリング、シュレッダーでの裁断という一連の作業を自動で行う画像読取装置において、原稿読み込み中に、斜行、角折れ、読み込み不良があることを確認した場合には、原稿画像の機密情報を保持できないことから重要書類の裁断を行わないように制御する。【選択図】図９
2009159282.tif 000002
【特許請求の範囲】
【請求項１】
原稿の画像情報を読取る画像読取部と、前記原稿を前記画像読取部に給紙搬送し、前記画像読取部で読取り後の前記原稿を排出する自動原稿搬送部と、前記画像読取部で読取った画像情報を記憶する画像情報記憶部とを備えた画像読取装置において、
前記画像読取部で画像情報を読取った後の原稿を裁断する裁断部と、前記画像読取部で画像情報を読取った後の原稿を排出する原稿排出部と、前記画像読取部での読取り画像の状態に応じて排出先を選択制御する制御部とが設けられ、
前記制御部は、前記画像読取部が前記原稿の画像情報を読取った後、前記原稿の読み取りが十分であると判断した場合には、前記画像情報記憶部で前記原稿の画像情報を記憶した後に前記裁断部に排出し、前記原稿の読み取りが不十分であり、かつ、再度の前記画像読取部での画像情報の読取りが必要であると判断した場合には、前記原稿を前記原稿排出部に排出するように制御することを特徴とする画像読取装置。
【請求項２】
前記自動原稿搬送部は、前記画像読取部で読取った後の前記原稿を反転するスイッチバック搬送路を有し、前記スイッチバック搬送路で反転された前記原稿を前記裁断部に排出することを特徴とする請求項１に記載の画像読取装置。
【請求項３】
前記制御部は、画像読取部で読取った画像情報から原稿が斜行していると判断した場合に、前記原稿を前記原稿排出部に排出することを特徴とする請求項１に記載の画像読取装置。
【請求項４】
前記制御部は、画像読取部で読取った画像情報から原稿が角折れしていると判断した場合に、前記原稿を前記原稿排出部に排出することを特徴とする請求項１に記載の画像読取装置。
【請求項５】
前記制御部は、画像読取部で読取った画像情報から原稿の読み込み不良が確認された場合に、前記原稿を前記原稿排出部に排出することを特徴とする請求項１に記載の画像読取装置。
【請求項６】
前記スイッチバック搬送路は、前記原稿が排出される原稿排出部を兼ねていることを特徴とする請求項２に記載の画像読取装置。
【請求項７】
前記裁断部には、裁断された原稿の屑が排出される裁断原稿保管部を有し、前記制御部は、前記裁断原稿保管部の残量により前記裁断部の裁断処理の可または不可を決定することを特徴とする請求項１に記載の画像読取装置。
【請求項８】
前記制御部は、原稿を載置する原稿載置部に置かれた原稿の枚数に応じて前記裁断部の裁断処理の可または不可を決定することを特徴とする請求項１に記載の画像読取装置。
【請求項９】
前記制御部は、原稿の前記裁断部による裁断処理の不可を決定したとき、裁断が不可能な注意を促すメッセージを表示することを特徴とする請求項７または請求項８に記載の画像読取装置。
【請求項１０】
前記制御部は、原稿を載置する原稿載置部に置かれた原稿の厚み情報と原稿サイズに応じて前記裁断部の裁断処理の可または不可を決定することを特徴とする請求項１に記載の画像読取装置。
【請求項１１】
前記制御部は、原稿を載置する原稿載置部に置かれた原稿の搬送方向の長さが、前記画像読取部から前記スイッチバック搬送路までの距離より大きいとき、前記裁断部の裁断処理の不可を決定することを特徴とする請求項２に記載の画像読取装置。
【請求項１２】
前記原稿を載置する原稿載置部から前記裁断原稿保管部までの原稿搬送路が伸縮可能な機構からなることを特徴とする請求項７に記載の画像読取装置。
【請求項１３】
前記原稿を載置する原稿載置部から前記裁断原稿保管部までの原稿搬送路が段階的に伸縮可能な機構からなることを特徴とする請求項７に記載の画像読取装置。
【請求項１４】
前記画像読取部で読取り後の前記原稿の画像情報を表示する画像表示部を有することを特徴とする請求項１に記載の画像読取装置。
【発明の詳細な説明】
【技術分野】
【０００１】
本発明は、スキャナ、複写機等の原稿の画像を読み取るための画像読取装置に関し、特に機密保持が必要な原稿について、画像情報を読取った後、当該原稿を直ぐに裁断するようにしたものである。
【背景技術】
【０００２】
一般的に、書類で文書管理を行うと保管スペースが嵩張り、事務所での占有スペースが広く必要となる。このため、近年では、書類による情報を画像読取装置により読取り、電子データとして管理する傾向にある。
【０００３】
この電子データ化する書類が機密保持の必要なものである場合、画像読取装置により書類である原稿の画像情報を読み込み中に、斜行、角折れ、読み込み不良があると、書類の機密を確実に保持することができなくなる。
【０００４】
従来、この種の画像読取装置の機密保持対策としては、例えば、シュレッダーなどの裁断部と、裁断された書類の屑が排出される裁断原稿保管部を備え、画像読取装置で読み取った書類の画像をメモリに記憶した後に、読み取った書類を裁断するように構成したものがある。（例えば、特許文献１参照）
【特許文献１】特開２００２−３６８９６６号公報
【発明の開示】
【発明が解決しようとする課題】
【０００５】
しかし、上述の特許文献１記載の構成では、機密保持が必要な書類を読み取る場合について、当該読み取られた書類の機密保持を確保することは可能である。しかし、上述したように、画像情報を読取り中のトラブルによる原稿の機密保持対策については、何ら配慮がなされていない。
【０００６】
本発明は、上記に鑑み、画像情報を読取り中のトラブルによる原稿の機密保持対策を施した画像読取装置の提供を目的としている。
【課題を解決するための手段】
【０００７】
上記目的を達成するため、本発明は、原稿の画像情報を読取る画像読取部と、前記原稿を前記画像読取部に給紙搬送し、前記画像読取部で読取り後の前記原稿を排出する自動原稿搬送部と、前記画像読取部で読取った画像情報を記憶する画像情報記憶部とを備えた画像読取装置において、前記画像読取部で画像情報を読取った後の原稿を裁断する裁断部と、前記画像読取部で画像情報を読取った後の原稿を排出する原稿排出部と、前記画像読取部での読取り画像の状態に応じて排出先を選択制御する制御部とを設け、前記制御部は、前記画像読取部が前記原稿の画像情報を読取った後、前記原稿の読み取りが十分であると判断した場合には、前記画像情報記憶部で前記原稿の画像情報を記憶した後に前記裁断部に排出し、前記原稿の読み取りが不十分であり、かつ、再度の前記画像読取部での画像情報の読取りが必要であると判断した場合には、前記原稿を前記原稿排出部に排出するように制御することを特徴とする。
【０００８】
上記構成によると、原稿の読み取りが不十分である原稿は、再度、原稿の読み取りが可能なように原稿を前記原稿排出部に排出するので、読取った後の原稿の機密を確実に保持することができる。
【０００９】
また、自動原稿搬送部は、前記画像読取部で読取った後の前記原稿を反転するスイッチバック搬送路を有し、前記スイッチバック搬送路で反転された原稿を裁断部に排出する。
【００１０】
また、制御部では、画像読取部で読取った画像情報から原稿が斜行していると判断した場合、原稿が角折れしていると判断した場合、さらには、原稿の読み込み不良が確認された場合に、原稿を原稿排出部に排出する。これにより、読取った後の原稿の機密を確実に保持することができる。
【００１１】
また、スイッチバック搬送路は、原稿が排出される原稿排出部を兼ねることができる。これにより、原稿の裁断経路の一部を原稿排出部にするので、画像読取装置の小型化を図ることができる。
【００１２】
また、制御部は、裁断部には、裁断された原稿の屑が排出される裁断原稿保管部を有し、前記裁断原稿保管部の残量により前記裁断部の裁断処理の可否を決定することができる。
【００１３】
また、前記原稿を載置する原稿載置部に置かれた原稿の枚数に応じて前記裁断部の裁断処理の可否を決定することができる。いずれも裁断原稿保管部で原稿屑が過大になるのを防止することができる。
【００１４】
さらに、原稿の裁断部による裁断処理の不可を決定したとき、裁断が不可能な注意を促すメッセージを表示するようにしてもよい。これにより、裁断原稿保管部の原稿屑を取り除くことをユーザに促すことができる。
【００１５】
また、前記原稿を載置する原稿載置部に置かれた原稿の厚み情報と原稿サイズに応じて前記裁断部の裁断処理の可または不可を決定することができる。
【００１６】
前記原稿を載置する原稿載置部に置かれた原稿の搬送方向の長さが、前記画像読取部から前記スイッチバック搬送路までの距離より大きいとき、前記裁断部の裁断処理の不可を決定することができる。
【００１７】
なお、前記原稿を載置する原稿載置部から前記裁断原稿保管部までの原稿搬送路は、伸縮可能な機構から構成することができる。この搬送路は、段階的に伸縮可能な機構とすることができる。
【００１８】
また、前記画像読取部で読取り後の前記原稿の画像情報を表示する画像表示部を有するようにしてもよい。この画像表示部では、プレビュー表示することにより、読取り原稿の裁断の可否をユーザが判断することができる。
【発明の効果】
【００１９】
本発明によると、スキャナでの書面読み込み、データベースファイリング、シュレッダーでの裁断という一連の作業を自動で行う画像読取装置において、スキャナでの書面読み込み中に、斜行、角折れ、読み込み不良があることを確認した場合には、重要書類の裁断を行わない様に制御するので、読取った後の原稿の機密を確実に保持することができる。
【発明を実施するための最良の形態】
【００２０】
以下に、本発明の具体的な実施形態について図面を参照しながら説明する。
図１は、本発明の一実施形態に係る画像読取装置としてのスキャナの全体構成を示すブロック図である。
【００２１】
図１において、スキャナは、スキャナ全体をコントロールするＣＰＵ１０１と、原稿を読み取るＣＣＤ１０２と、読み取られた原稿の画像を一時的に記憶するＲＡＭ１０３と、ＲＡＭ１０３に記憶された原稿画像にガンマ補正などを行うＳＣＡＮ ＡＳＩＣ１０４と、読み込んだ画像に領域分離などの画像処理を行う画像処理ＡＳＩＣ１０５と、読み取り後の原稿を裁断するシュレッダー１０６と、シュレッダー１０６の刃を回転するモータ１０７と、原稿裁断経路上の原稿を検知するソレノイド１０８と、シュレッダー１０６、モータ１０７およびソレノイド１０８をコントロールするモータ制御ＣＰＵ１１０と、原稿裁断経路上の紙詰まりを検知するセンサからの情報を入力するＪＡＭ検知センサ入力部１０９と、読み込んだ原稿の画像を保存するＨＤＤ１１２と、ＨＤＤ１１２から読み出した画像を一時的に保存するＲＡＭ１１３と、シュレッダー内の裁断紙の残量を測るセンサ入力部１１４と、原稿載置部に置かれた原稿のサイズをセンサで入力する原稿サイズセンサ入力部１１５と、テンキーなど各種ボタンからの操作を入力するキー、タッチパネル入力部１１６と、読み取った画像をイメージとして表示する画面表示部１１７などを備えている。
【００２２】
図２は図１に示す一実施形態に係る画像読取装置（スキャナ）における原稿の走行状態を示したものである。図２（ａ）は、自動原稿送り装置およびスキャナ部を備える複合機である。図２（ａ）において、複合機１は、画像読取装置２（スキャナ）と、画像形成部（図示略）を有する複合機本体３と、スキャナー部２の上面に配置され原稿を原稿載置部としての給紙トレイ４から原稿排出部としての排紙トレイ５に自動的に送る自動原稿送り装置６と、給紙トレイ４からのスキャナー部２（原稿読取り部）を通過した原稿などを裁断する裁断部としてのシュレッダー１０６と、操作画面を有するＬＣＤ液晶画面部１１７とを備えている。
【００２３】
給紙トレイ４からスキャナー部２を通って排紙トレイ５に至る原稿搬送路７には、スキャナー部を通過後の原稿を排紙トレイ側５とシュレッダー１０６側のいずれかの搬送路に切替える搬送路切替ゲート８が設けられている。
【００２４】
図２（ｂ）は、破線で示した原稿搬送路７における搬送路切り替えゲート部位の拡大図であり、給紙トレイ４から送られた原稿１０を、スイッチバック搬送路７ａとなる排紙トレイ５に向けて送る。
【００２５】
図２（ｂ）に示すように、原稿１０の先端がゲート８の手前に来たとき、スキャナ部２で読み取られたデータを確認後、問題（斜行、角折れ、読み込み不良など）が無ければ、図２（ｃ）に示すように、原稿を排紙トレイ５に排紙する。そして、図２（ｄ）に示すように、原稿を一旦停止し、図２（ｅ）に示すように、反転して、図２（ｆ）に示すように、シュレッダー１０６に向けて搬送する。
【００２６】
図３は、図２に示す一実施形態に係る画像読取装置（スキャナ）における裁断処理（Ｉ）の動作の一例を説明するためのフローチャートである。まず、重要書類となる用紙が、給紙トレイ４に載置されると（Ｓ３０１）、ユーザによる裁断処理の開始操作があったかどうかを確認する（Ｓ３０２）。ユーザによる裁断操作があると、用紙が給紙され用紙の画像が読み取られる。読み込まれた各用紙の画像はＨＤＤ１１２に保存され、そして、ＨＤＤ１１２から直ぐに画像が読み出されＲＡＭに一時的に記憶される。
【００２７】
ＣＰＵ１０１は、ＲＡＭ上の画像が斜行していないか（Ｓ３０３）、また、角折れしていないか（Ｓ３０４）、さらに読み込み不良でないか（Ｓ３０５）などを判断して、正しく読み込まれている場合はシュレッダー１０６にて裁断処理を実行する（Ｓ３０６）。逆に、何れかであると、用紙を、排紙トレイ５上でスイッチバックさせず、排紙トレイ５に排紙し搬送を終了する（Ｓ３０７）。その後、シュレッダー内が満杯になると、裁断処理が行われずに終了する（Ｓ３０８）。シュレッダー１０６が満杯でないときは裁断処理が継続され、給紙トレイ４に用紙が無くなるまで繰り返される（Ｓ３０９）。
【００２８】
図４は、図２に示す一実施形態に係る画像読取装置（スキャナ）における裁断処理（ＩＩ）の動作の一例を説明するためのフローチャートである。まず、重要書類となる用紙が、給紙トレイに載置されると（Ｓ４０１）、ユーザによる裁断処理の開始操作があったかどうかを確認する（Ｓ４０２）。ユーザによる裁断操作があると、シュレッダー内の残量が確認され（Ｓ４０３）、シュレッダー内が満杯でないときは用紙を裁断することが可能であるメッセージ「裁断が可である」を液晶画面１１７に表示する（Ｓ４０４）。
【００２９】
なお、シュレッダー１０６内の残量検知は、用紙量センサ１２により検知する。用紙量センサ１２は、重量センサによる検知、測距センサによる高さ検知、透過型あるいは反射型の光学センサによる高さ検知、さらには用紙サイズと裁断枚数をカウントすることにより用紙量を算出する等の部で構成することができる。
【００３０】
シュレッダー内が満杯のときは用紙を裁断することが不可能であるメッセージ「裁断が不可である」を液晶画面１１７に表示する（Ｓ４０５）。このように、不可能であるメッセージが表示された後は、ユーザによってシュレッダー内が掃除されるまで（Ｓ４０６）、裁断処理ができないことのメッセージ「シュレッダー内を掃除してください」を液晶画面１１７に表示する（Ｓ４０７）。
【００３１】
裁断することが可能であるメッセージを表示した後に、用紙が給紙され用紙の画像が読み取られる。読み込まれた各用紙の画像はＨＤＤ１１２に保存され、そして、ＨＤＤ１１２から直ぐに画像が読み出されＲＡＭに一時的に記憶される。ＣＰＵ１０１は、ＲＡＭ上の画像が斜行していないか（Ｓ４０８）、また、角折れしていないか（Ｓ４０９）、さらに読み込み不良でないか（Ｓ４１０）などを判断して、正しく読み込まれている場合はシュレッダー１０６にて裁断処理を実行する（Ｓ４１１）。逆に、何れかであると、用紙を、排紙トレイ５上でスイッチバックさせず、排紙トレイ５に排紙し搬送を終了する（Ｓ４１２）。その後に、シュレッダー内が満杯になると、裁断処理が行われずに終了する（Ｓ４１３）。シュレッダー１０６が満杯でないときは裁断処理が継続され、給紙トレイ４に用紙が無くなるまで繰り返される（Ｓ４１４）。
【００３２】
図５は、図２に示す一実施形態に係る画像読取装置（スキャナ）における裁断処理（ＩＩＩ）の動作の一例を説明するためのフローチャートである。この例では、給紙トレイ４にセットされた用紙（全枚数）が裁断可能か否かを、給紙トレイ４にセットされた枚数とサイズとシュレッダー１０６内の用紙の枚数から判定する。用紙の枚数は原稿（用紙）カウント処理により行う。
【００３３】
まず、重要書類となる用紙が、給紙トレイ４に載置されると（Ｓ５０１）、ユーザによる裁断処理の開始操作があったかどうかを確認する（Ｓ５０２）。ユーザによる裁断操作があると、給紙トレイ４に載置されたすべての用紙を排紙トレイ５まで搬送し、図示しないカウンターにより用紙枚数（量）をカウントする（Ｓ５０３）。
【００３４】
全用紙枚数（量）を元に、すべての用紙が裁断可能と判断された場合は（Ｓ５０４）用紙を裁断することが可能であるメッセージ「裁断が可である」を液晶画面に表示する（Ｓ５０５）。用紙の裁断が不可と判断された場合は用紙を裁断することが不可能であるメッセージ「裁断が不可である」を液晶画面に表示する（Ｓ５０６）。次に、ユーザにより排紙トレイに搬送された用紙を給紙トレイ４に再載置する（Ｓ５０７）。
【００３５】
用紙が、給紙トレイ４に再載置されると（Ｓ５０８）、ユーザによる裁断処理の開始操作があったかどうかを確認する（Ｓ５０９）。ユーザによる裁断操作があると、用紙が給紙され用紙の画像が読み取られる。読み込まれた各用紙の画像はＨＤＤ１１２に保存され、そして、ＨＤＤ１１２から直ぐに画像が読み出されＲＡＭに一時的に記憶される。ＣＰＵ１０１は、ＲＡＭ上の画像が斜行していないか（Ｓ５１０）、また、角折れしていないか（Ｓ５１１）、さらに読み込み不良でないか（Ｓ５１２）などを判断して、正しく読み込まれている場合はシュレッダーにて裁断処理を実行する（Ｓ５１３）。逆に、何れかであると、用紙を、排紙トレイ上でスイッチバックさせず、排紙トレイに排紙し搬送を終了する（Ｓ５１４）。その後に、シュレッダー内が満杯になると、裁断処理が行われずに終了する（Ｓ５１５）。シュレッダー１０６が満杯でないときは裁断処理が継続され、給紙トレイ４に用紙が無くなるまで繰り返される（Ｓ５１６）。
【００３６】
図６は、図２に示す一実施形態に係る画像読取装置（スキャナ）における裁断処理（ＩＶ）の動作の一例を説明するためのフローチャートである。この例では、給紙トレイ４にセットされた用紙（全枚数）の裁断が可能か否かを、給紙トレイ４にセットされた用紙の厚み（枚数を予測）と原稿サイズと、シュレッダー１０６内の用紙の枚数から判定する。また、予想される裁断可能な枚数はＬＣＤ液晶画面１１７に表示する。
【００３７】
給紙トレイ４にセットされる用紙の厚みは、原稿厚みセンサー１３により検知する。原稿厚みセンサー１３は、給紙トレイ４内で用紙をリフトアップする時間、あるいは測距センサによる高さ検知、重量センサ等から構成される。また、シュレッダー１０６内の用紙枚数はシュレッダー１０６内の用紙量センサー１２で検知する。
【００３８】
図６に示すように、まず、重要書類となる用紙が、給紙トレイに載置されると（Ｓ６０１）、給紙トレイ４上において用紙の厚さと用紙のサイズを検出する（Ｓ６０２）。
【００３９】
用紙の厚さと用紙のサイズを元に、用紙の裁断が不可能と判断された場合は（Ｓ６０２）用紙を裁断することが不可能であるメッセージ「裁断が不可である」を液晶画面１１７に表示する（Ｓ６０３）。
【００４０】
その後に、ユーザによる裁断処理の開始操作があったかどうかを確認する（Ｓ６０４）。ユーザによる裁断操作があると、用紙が給紙され用紙の画像が読み取られる。読み込まれた各用紙の画像はＨＤＤ１１２に保存され、そして、ＨＤＤ１１２から直ぐに画像が読み出されＲＡＭに一時的に記憶される。ＣＰＵ１０１は、ＲＡＭ上の画像が斜行していないか（Ｓ６０５）、また、角折れしていないか（Ｓ６０６）、さらに読み込み不良でないか（Ｓ６０７）などを判断して、正しく読み込まれている場合はシュレッダー１０６にて裁断処理を実行する（Ｓ６０８）。
【００４１】
逆に、何れかであると、用紙を排紙トレイ５上でスイッチバックさせず、排紙トレイ５に排紙し搬送を終了する（Ｓ６０９）。その後に、シュレッダー内が満杯になると、裁断処理が行われずに終了する（Ｓ６１０）。シュレッダーが満杯でないときは裁断処理が継続され、給紙トレイに用紙が無くなるまで繰り返される（Ｓ６１１）。
【００４２】
図７は、図２に示す一実施形態に係る画像読取装置（スキャナ）における裁断処理（Ｖ）の動作の一例を説明するためのフローチャートである。この例では、用紙サイズと搬送パス長さの都合で、排紙トレイ５に到達する前に、裁断可能か否かの判断が出来ている場合は、排紙トレイ５に排出せずに、直接裁断処理をする。
【００４３】
まず、重要書類となる用紙が搬送する、ＣＣＤ１０２による読み取り位置からゲート８までの距離（Ｌ）が、搬送される用紙長より短いとき（Ｓ７０１）は、シュレッダー１０６による裁断を行わないようにするために、排紙トレイ５に排紙されるよう、ゲート８を切り替える（Ｓ７０２）。距離（Ｌ）が搬送される用紙長より長いときは、シュレッダー１０６による裁断を行うようにするために、ゲート８を切り替える（Ｓ７０３）。
【００４４】
ユーザによる裁断処理の開始操作があったかどうかを確認する。ユーザによる裁断操作があると、用紙が給紙され用紙の画像が読み取られる。読み込まれた各用紙の画像はＨＤＤ１１２に保存され、そして、ＨＤＤ１１２から直ぐに画像が読み出されＲＡＭに一時的に記憶される。ＣＰＵ１０１は、ＲＡＭ上の画像が斜行していないか（Ｓ７０４）、また、角折れしていないか（Ｓ７０５）、さらに読み込み不良でないか（Ｓ７０６）などを判断して、距離（Ｌ）が搬送される用紙長より短く、かつ、何れかであると、用紙を、排紙トレイ上でスイッチバックさせず、排紙トレイに排紙し搬送を終了する（Ｓ７０７）。
【００４５】
正しく読み込まれており、かつ、距離（Ｌ）が搬送される用紙長より短いときは、用紙を一度、排紙トレイ５に搬送した後に、スイッチバック搬送路で反転させてシュレッダー１０６へ搬送する（Ｓ７０９）。正しく読み込まれており、かつ、距離（Ｌ）が搬送される用紙長より長いときは、シュレッダー１０６にて裁断処理を実行する（Ｓ７１０）。逆に、その後に、シュレッダー内が満杯になると、裁断処理が行われずに終了する（Ｓ７１１）。シュレッダーが満杯でないときは裁断処理が継続され、給紙トレイに用紙が無くなるまで繰り返される（Ｓ７１２）。
【００４６】
図８は、図２に示す一実施形態に係る画像読取装置（スキャナ）における裁断処理（ＶＩ）の動作の一例を説明するためのフローチャートである。この例では、物理的に排紙トレイ５に排出できないような大きなサイズの用紙に対しても裁断可能か否かの判断を行ってから、裁断処理を行えるように、用紙サイズ毎にｎ個の経路の長い搬送パス１５が設けられたものである。搬送パス１５は、複合機本体とシュレッダー１０６との間に介在される。搬送パス１５は、複数のＵ字状の搬送路が複数段に形成される。
【００４７】
このような搬送パス１５は、原稿を載置する給紙トレイ４からシュレッダー１０６の裁断原稿保管部までの原稿搬送路を伸縮可能な機構によって構成される。例えば、複合機本体とシュレッダーとの間に、内部に複数段の搬送路が形成された搬送路伸縮機構から構成することができる。複数段の搬送路は、その経路長さが夫々異なり、原稿搬送路を段階的に伸縮可能な機構となっている。
【００４８】
また、この例では、給紙トレイ４に用紙を渦巻状にセットできる機構、例えば、給紙トレイ４の先端の両端に軸部を設け、この軸部にロール状の原稿を軸受けさせるようにする。例えば、Ａ０サイズのような、通常、給紙トレイにセットできないような用紙もシュレッダー１０６で裁断することができる。この場合、給紙トレイ４には、渦巻状の用紙が給紙ローラに噛みこむのを防止するための用紙巻き込み防止治具１６を設けるようにしてもよい。
【００４９】
まず、重要書類となる用紙が給紙トレイ４に載置されると、用紙のサイズにより搬送路（Ｕ字搬送パス１〜Ｎ）の何れかを選択する（Ｓ８０１）。
【００５０】
Ｕ字搬送パス1が選択されると（Ｓ８０２）、図示しないゲートによりＵ字搬送パス１に切り替える（Ｓ８０３）。また、Ｕ字搬送パス２が選択されると（Ｓ８０４）、図示しないゲートによりＵ字搬送パス１に切り替える（Ｓ８０５）。また、他のＵ字搬送パスが選択されると、図示しないゲートによりＵ字搬送パスＮに切り替える（Ｓ８０６）。
【００５１】
そして、ユーザによる裁断処理の開始操作があったかどうかを確認する。ユーザによる裁断操作があると、用紙が給紙され用紙の画像が読み取られる。読み込まれた各用紙の画像はＨＤＤ１１２に保存され、そして、ＨＤＤから直ぐに画像が読み出されＲＡＭに一時的に記憶される。ＣＰＵは、ＲＡＭ上の画像が斜行していないか（Ｓ８０７）、また、角折れしていないか（Ｓ８０８）、さらに読み込み不良でないか（Ｓ８０９）などを判断して、正しく読み込まれている場合は、シュレッダー１０６にて裁断処理を実行する（Ｓ８１０）。逆に、何れかであると、用紙を、排紙トレイに排紙する（Ｓ８１１）。その後に、シュレッダー内が満杯になると、裁断処理が行われずに終了する（Ｓ８１２）。シュレッダーが満杯でないときは裁断処理が継続され、給紙トレイに用紙が無くなるまで繰り返される（Ｓ８１３）。
【００５２】
図９は、図２に示す一実施形態に係る画像読取装置（スキャナ）における裁断処理（ＶＩＩ）の動作の一例を説明するためのフローチャートである。この例では、読取り画像表示部、例えば、ＬＣＤ液晶画面１１７に、斜行画像、角折れ画像、読み込み不良画像のプレビュー表示を行ない、ユーザが裁断処理を行なうか否かを判断できるようにしたものである。
【００５３】
まず、重要書類となる用紙が、給紙トレイ４に載置されると、ユーザによる裁断処理の開始操作があったかどうかを確認する。ユーザによる裁断操作があると、用紙が給紙され用紙の画像が読み取られる。読み込まれた各用紙の画像はＨＤＤ１１２に保存され、そして、ＨＤＤ１１２から直ぐに画像が読み出されＲＡＭに一時的に記憶される。ＣＰＵ１０１は、ＲＡＭ上の画像が斜行していないか（Ｓ９０１）、また、角折れしていないか（Ｓ９０２）、さらに読み込み不良でないか（Ｓ９０３）などを判断して、正しく読み込まれている場合はシュレッダーにて裁断処理を実行する（Ｓ９０４）。逆に、何れかであると、斜行画像、角折れ画像、読み込み不良画像を、液晶画面１１７にプレビュー表示する（Ｓ９０５）。
【００５４】
この場合、用紙は排紙トレイ５に搬送され一旦停止する（Ｓ９０６）。次いで、ユーザは、表示された画像を見て、裁断を行うか、行わないかを装置の操作部にて操作する（Ｓ９０７）。
【００５５】
ユーザが裁断の続行を指示した場合は、シュレッダーによる裁断処理が行われ（Ｓ９０８７）、裁断を行わないと決定した場合は、用紙を排紙トレイに排紙する（Ｓ９０９）。その後に、シュレッダー内が満杯になると、裁断処理が行われずに終了する（Ｓ９１０）。シュレッダーが満杯でないときは裁断処理が継続され、給紙トレイに用紙が無くなるまで繰り返される（Ｓ９１１）。
【００５６】
なお、本発明は、上記実施形態に限定されるものではなく、本発明の範囲内で多くの修正・変更を加えることができるのは勿論である。
【図面の簡単な説明】
【００５７】
【図１】本発明の一実施形態に係る画像読取装置としてのスキャナの全体構成を示すブロック図
【図２】図１に示す一実施形態に係る画像読取装置の動作の一例を説明するためのフローチャート
【図３】図２に示す一実施形態に係る画像読取装置（スキャナ）における裁断処理Iの動作の一例を説明するためのフローチャート
【図４】図２に示す一実施形態に係る画像読取装置（スキャナ）における裁断処理IIの動作の例を説明するためのフローチャート
【図５】図２に示す一実施形態に係る画像読取装置（スキャナ）における裁断処理IIIの動作の一例を説明するためのフローチャート
【図６】図２に示す一実施形態に係る画像読取装置（スキャナ）における裁断処理IVの動作の一例を説明するためのフローチャート
【図７】図２に示す一実施形態に係る画像読取装置（スキャナ）における裁断処理Vの動作の一例を説明するためのフローチャート
【図８】図２に示す一実施形態に係る画像読取装置（スキャナ）における裁断処理VIの動作の一例を説明するためのフローチャート
【図９】図２に示す一実施形態に係る画像読取装置（スキャナ）における裁断処理VIIの動作の一例を説明するためのフローチャート
【符号の説明】
【００５８】
１    複合機
２    画像読取装置（スキナー部）
３    複合機本体
４    給紙トレイ
５    排紙トレイ
６    自動原稿送り装置
７    搬送路
１０１    ＣＰＵ
１０２    ＣＣＤ
１０３    ＲＡＭ
１０４    ＳＣＡＮ ＡＳＩＣ
１０５    画像処理ＡＳＩＣ
１０６    シュレッダー
１０７    モータ
１０８    ソレノイド
１０９    ＪＡＭ検知センサ入力部
１１０    モータ制御ＣＰＵ
１１２    ＨＤＤ
１１３    ＲＡＭ
１１４    センサ入力部
１１５    原稿サイズセンサ入力部
１１６    キー、タッチパネル入力部
１１７    画面表示部
【図１】
2009159282.tif 000003
【図２】
2009159282.tif 000004
【図３】
2009159282.tif 000005
【図４】
2009159282.tif 000006
【図５】
2009159282.tif 000007
【図６】
2009159282.tif 000008
【図７】
2009159282.tif 000009
【図８】
2009159282.tif 000010
【図９】
2009159282.tif 000011